(57)【特許請求の範囲】
【請求項１】
撮像機器、プロセッサ及び入力機器を含む電子装置に適用してケア情報を取得する方法であって、
現ユーザーの画像を前記撮像機器により撮像し、顔データを生成するステップと、
前記プロセッサにより前記撮像機器から前記顔データを取得し、また前記プロセッサにより前記顔データを解析して初期皮膚情報を取得するステップであって、前記初期皮膚情報は、画像認識を介して前記顔データから解析された望ましくない顔の形体を含む可変形体に応じて計算される複数の皮膚パラメータを含み、前記皮膚パラメータは、全体の顔に対する、前記望ましくない顔の形体の重度レベルまたは前記望ましくない顔の形体の面積パーセンテージに基づいて計算される数値である、ステップと、
クラウドデータベースを用いることによって、前記初期皮膚情報に基づいて、及び人口統計学的要因に関連付けられた複数の分類基準のうちの少なくとも1つに基づいて、各グループがそれぞれ複数の分類済みユーザーを含む複数グループのうちの１つのグループに前記プロセッサにより前記現ユーザーを分類するステップと、
前記プロセッサによって前記入力機器を介して前記現在のユーザーによって入力された希望の予定期間と希望の皮膚改善のための皮膚状態目標とを受信するステップであって、前記皮膚状態目標は、改善されるべき全体の顔に対する、前記望ましくない顔の形体の重度レベルの希望減少または前記望ましくない顔の形体の希望パーセンテージであり、前記希望の予定期間は、前記皮膚状態目標を達成するために必要とされる総処置時間である、ステップと、
ネットワーク通信機器を介しネットワークに接続する前記電子装置によって、前記ネットワークの前記クラウドデータベースにおいて前記現ユーザーが属するグループのうちの１つにおいて類似の前記初期皮膚情報、前記予定期間及び前記皮膚状態目標を有する、分類済みの他のユーザーの皮膚達成履歴を検索し、前記皮膚達成履歴を取得するステップであって、前記皮膚達成履歴は、前記初期皮膚情報に近似した近似初期皮膚情報及び前記希望の予定期間に近似した近似予定期間の状況下にある前記分類済みユーザーのうちの１人が達成した前記皮膚状態目標に関するケア情報とし、前記ケア情報は、前記分類済みユーザのケア行為と使用したケア製品とからなる、ステップと、
前記初期皮膚情報に近似した前記近似初期皮膚情報及び前記希望の予定期間に近似した前記近似予定期間の状況下にある前記分類済みユーザーのうちの１人が達成した前記皮膚状態目標に関する前記ケア情報を用いて、前記皮膚状態目標を達成するための処置を実施するステップと、を有する、ケア情報取得方法。
【請求項２】
請求項１記載のケア情報取得方法において、前記複数の分類基準のうちの少なくとも１つは、前記現ユーザーの性別、年齢、地理的居場所及び人種情報のうちの１つ、又はそれらの組合せを含むものとする、ケア情報取得方法。
【請求項３】
請求項１記載のケア情報取得方法において、さらに、
前記希望の予定期間内で前記現ユーザーの現皮膚情報及び前記ケア情報を連続的に記録し、また前記初期皮膚情報を前記現皮膚情報と比較することによって前記皮膚状態目標が達成されたか否かを決定するステップと、
前記皮膚状態目標が達成されたとき、前記希望の予定期間内における前記現ユーザーの前記ケア情報を前記現ユーザーに対応する前記皮膚達成履歴に組み入れるステップと、
を有する、ケア情報取得方法。
【請求項４】
請求項３記載のケア情報取得方法において、複数の前記可変形体のうちの少なくとも１つは、しわ、顔縞線、紅斑、にきび、しみ、毛穴、皮膚の色、及び目の周りにおけるくまのうちの１つ、又はそれらの組合せとする、ケア情報取得方法。
【請求項５】
請求項４記載のケア情報取得方法において、前記複数の皮膚パラメータのうちの少なくとも１つは、明度、肌理、堅さ、輝度、及び健全さのうちの１つ、又はそれらの組合せとする、ケア情報取得方法。
【請求項６】
撮像機器、プロセッサ及び入力機器を含む電子装置に適用してケア情報を共有する方法であって、
現ユーザーの画像を前記撮像機器により撮像し、顔データを生成するステップと、
前記プロセッサにより前記撮像機器から前記顔データを取得し、また前記プロセッサにより前記顔データを解析して初期皮膚情報を取得するステップであって、前記初期皮膚情報は、画像認識を介して前記顔データから解析された望ましくない顔の形体を含む可変形体に応じて計算される複数の皮膚パラメータを含み、前記皮膚パラメータは、全体の顔に対する、前記望ましくない顔の形体の重度レベルまたは前記望ましくない顔の形体の面積パーセンテージに基づいて計算される数値である、ステップと、
クラウドデータベースを用いることによって、前記初期皮膚情報に基づいて、及び人口統計学的要因に関連付けられた複数の分類基準のうちの少なくとも1つに基づいて、各グループがそれぞれ複数の分類済みユーザーを含む複数グループのうちの１つのグループに前記プロセッサにより前記現ユーザーを分類するステップと、
前記プロセッサによって前記入力機器を介して前記現在のユーザーによって入力された希望の予定期間と希望の皮膚改善のための皮膚状態目標とを受信するステップであって、前記皮膚状態目標は、改善されるべき全体の顔に対する、前記望ましくない顔の形体の重度レベルの希望減少または前記望ましくない顔の形体の希望パーセンテージであり、前記希望の予定期間は、前記皮膚状態目標を達成するために必要とされる総処置時間である、ステップと、
前記プロセッサによって、前記現ユーザーを含む１つのグループから前記初期皮膚情報、前記希望の予定期間及び前記希望の皮膚改善のための前記皮膚状態目標に基づいて、前記分類済みユーザーのうちの１人に対応する皮膚達成履歴を取得するステップであって、前記皮膚達成履歴は、前記初期皮膚情報に近似した近似初期皮膚情報及び前記希望の予定期間に近似した近似予定期間の状況下にある前記分類済みユーザーのうちの１人が達成した前記皮膚状態目標に関するケア情報とし、前記ケア情報は、前記分類済みユーザのケア行為と使用したケア製品とからなる、ステップと、
前記初期皮膚情報に近似した前記近似初期皮膚情報及び前記希望の予定期間に近似した前記近似予定期間の状況下にある前記分類済みユーザーのうちの１人が達成した前記皮膚状態目標に関する前記ケア情報を用いて、前記皮膚状態目標を達成するための処置を実施するステップと、
前記プロセッサによって前記希望の予定期間内で前記現ユーザーの前記現皮膚情報及びケア情報を連続的に記録し、また前記初期皮膚情報を前記現皮膚情報と比較することによって前記希望の皮膚改善のための前記皮膚状態目標が達成されたか否かを決定するステップと、
前記プロセッサによって、前記皮膚状態目標が達成されたとき、前記予定期間内における前記現ユーザーの前記ケア情報を前記現ユーザーに対応する皮膚達成履歴に組み入れるステップと、及び
ネットワーク通信機器を介しネットワークに接続する前記電子装置によって、前記皮膚達成履歴を前記ネットワークの前記クラウドデータベースにアップロードすることで、前記現ユーザーと同じグループに分類される他のユーザーと、前記皮膚達成履歴を共有するステップと、
を有する、ケア情報共有方法。
【請求項７】
請求項６記載のケア情報共有方法において、前記複数の分類基準のうちの少なくとも１つは、前記現ユーザーの性別、年齢、地理的居場所及び人種情報のうちの１つ、又はそれらの組合せを含むものとする、ケア情報共有方法。
【請求項８】
現ユーザーの画像を撮像し、顔データを生成する撮像機器と、
前記撮像機器に接続したプロセッサと、
前記プロセッサに接続した入力機器と、及び
前記プロセッサをネットワークに接続するネットワーク通信機器と
を備える電子装置であって、
前記プロセッサは、
前記撮像機器から前記顔データを取得し、また前記顔データを解析して初期皮膚情報を取得し、前記初期皮膚情報は、画像認識を介して前記顔データから解析された望ましくない顔の形体を含む可変形体に応じて計算される複数の皮膚パラメータを含み、前記皮膚パラメータは、全体の顔に対する、前記望ましくない顔の形体の重度レベルまたは前記望ましくない顔の形体の面積パーセンテージに基づいて計算される数値であり、
前記ネットワークにおけるクラウドデータベースを用いることによって、前記初期皮膚情報に基づいて、及び人口統計学的要因に関連付けられた複数の分類基準のうちの少なくとも1つに基づいて、各グループがそれぞれ複数の分類済みユーザーを含む複数グループのうちの１つのグループに前記現ユーザーを分類し、
前記入力機器を介して前記現在のユーザーによって入力された希望の予定期間と希望の皮膚改善のための皮膚状態目標とを受信し、前記皮膚状態目標は、改善されるべき全体の顔に対する、前記望ましくない顔の形体の重度レベルの希望減少または前記望ましくない顔の形体の希望パーセンテージであり、前記希望の予定期間は、前記皮膚状態目標を達成するために必要とされる総処置時間であり、
前記ネットワークの前記クラウドデータベースにおいて前記現ユーザーが属するグループのうちの１つにおいて類似の前記初期皮膚情報、前記予定期間及び前記皮膚状態目標を有する、分類済みの他のユーザーの皮膚達成履歴を検索し、前記皮膚達成履歴を取得し、前記皮膚達成履歴は、前記初期皮膚情報に近似した近似初期皮膚情報及び前記希望の予定期間に近似した近似予定期間の状況下にある前記分類済みユーザーのうちの１人が達成した前記皮膚状態目標に関するケア情報とし、前記ケア情報は、前記分類済みユーザのケア行為と使用したケア製品とからなり、
前記初期皮膚情報に近似した前記近似初期皮膚情報及び前記希望の予定期間に近似した前記近似予定期間の状況下にある前記分類済みユーザーのうちの１人が達成した前記皮膚状態目標に関する前記ケア情報を用いて、前記皮膚状態目標を達成するための処置を実施することを前記ユーザーに指示する、ように構成される、電子装置。
【請求項９】
請求項８記載の電子装置において、前記複数の分類基準のうちの少なくとも１つは、前記現ユーザーの性別、年齢、地理的居場所及び人種情報のうちの１つ、又はそれらの組合せを含むものとする、電子装置。
【請求項１０】
請求項８記載の電子装置において、
前記プロセッサは、前記希望の予定期間内で前記現ユーザーの現皮膚情報及び前記ケア情報を連続的に記録し、また前記初期皮膚情報を前記現皮膚情報と比較することによって前記皮膚状態目標が達成されたか否かを決定し、及び
前記プロセッサは、前記皮膚状態目標が達成されたとき、前記希望の予定期間内における前記現ユーザーの前記ケア情報を前記現ユーザーに対応する前記皮膚達成履歴に組み入れ、また前記皮膚達成履歴を前記クラウドデータベースにアップロードする、電子装置。
【請求項１１】
請求項１０記載の電子装置において、複数の前記可変形体のうちの少なくとも１つは、しわ、顔縞線、紅斑、にきび、しみ、毛穴、皮膚の色、及び目の周りにおけるくまのうちの１つ、又はそれらの組合せとする、電子装置。
【請求項１２】
請求項８記載の電子装置において、前記複数の皮膚パラメータのうちの少なくとも１つは、明度、肌理、堅さ、輝度、及び健全さのうちの１つ、又はそれらの組合せとする、
電子装置。
【請求項１３】
請求項１１記載の電子装置において、前記入力機器は、タッチスクリーンとする、電子装置。
【請求項１４】
請求項８記載の電子装置において、さらに、前記皮膚達成履歴を表示するように構成したディスプレイ画面を備える、電子装置。
【発明の詳細な説明】
【技術分野】
【０００１】
本発明は、皮膚検出及びスキンケアに関する情報を共有する技術に関し、より具体的には、スキンケア情報を取得する方法、スキンケア情報を共有する方法及びこれらの方法のための電子装置に関する。
【背景技術】
【０００２】
従来の皮膚検出は、専門的皮膚検出装置を用いて人間の皮膚をスキャンし、皮膚状態を取得するのが普通である。サービス提供者の販売員も皮膚状態に基づいて対応のケア製品を推奨することができる。しかし、ユーザーはユーザー自身でこのような皮膚検出装置を所有することは困難である。その理由は、皮膚検出装置が高価かつ極めて大型である点にある。さらに、皮膚検出装置は、皮膚をスキャンするための異なる倍率を有する顕微鏡を据え付ける必要があり、したがって、皮膚検出装置は、毎回皮膚エリアの小さい部分しかスキャンすることができないため、操作に時間がかかる。さらに、ユーザーは、皮膚検出装置の使用によって皮膚状態を決定するために十分訓練しなければならない。したがって、ユーザー自身の皮膚又は皮膚の状態が実際改善されたか否かをいつでも知りたいとユーザーが希望する場合、皮膚検出装置はこのような要望を満足させることはできない。
【０００３】
他方、若さ及び美貌をより効率的にかつ時間を節約して維持するために、自身の皮膚を他にどのように手入れしたらよいか、スキンケアにはどのくらい長い時間がかかるのか、どの種類のケア製品を使用すべきか、等のケア情報を学びたいとユーザーが望むのは極めて一般的である。それにもかかわらず、ケア情報における信頼性は決定が困難であり、ユーザー自身で決定しなければならない。さらに、各個人は、他の人とは極めて異なった、皮膚、成長環境、及び食習慣を持つため、ケア情報の信頼性は、単に１つの方法を使用して確実になり得ない。したがって、自身の皮膚状態を改善したいと望むユーザーが最も欲する製品特徴の１つは、どのようにして、皮膚検出を行い、スキンケアの進展を記録し、またケア情報を他の人と共有するかということになる。
【発明の概要】
【発明が解決しようとする課題】
【０００４】
本発明は、スキンケア情報を取得する方法、及びそのための電子装置を企図するものであり、これによりユーザーは、そのユーザー用に顔のスキンケアに対する参考として他のユーザーが共有するケア情報（例えば、ケア行為、使用したケア製品等）を取得できる。
【０００５】
他方、本発明の目的は、スキンケア情報を共有する方法及びそのための電子装置を得るにあり、これによりユーザーは、皮膚状態目標を達成した後に電子装置によって同一皮膚状態を有する他のユーザーとスキンケア履歴を共有することができ、顔のスキンケアに関する個人的な秘訣を共通できるようになる。
【課題を解決するための手段】
【０００６】
本発明によるケア情報取得方法は、撮像機器を含む電子装置に適用する。この方法は、以下のステップ、すなわち、前記撮像機器から現ユーザーの顔データを取得し、また前記顔データを解析して初期皮膚情報を取得するステップと、クラウドデータベースによって、前記初期皮膚情報に基づいて、各グループがそれぞれ複数の分類済みユーザーを含む複数グループのうちの１つのグループに前記現ユーザーを分類するステップと、前記電子装置によって、予定期間及び皮膚状態目標を設定するステップと、及び前記電子装置によって、前記現ユーザーを含む１つのグループから前記初期皮膚情報、前記予定期間及び前記皮膚状態目標に基づいて、前記分類済みユーザーのうちの１人に対応する皮膚達成履歴を取得する皮膚達成履歴取得ステップと、を有する。前記皮膚達成履歴は、近似初期皮膚情報及び近似予定期間の状況下にある前記分類済みユーザーのうちの１人が達成した皮膚状態目標に関するケア情報とする
【０００７】
本発明の実施態様において、前記現ユーザーを１つのグループに分類するステップは、前記現ユーザーを、初期皮膚情報及び複数の分類基準に基づいて前記１つのグループに分類するグループ分けステップを有する。前記分類基準は、前記現ユーザーの性別、年齢、地理的居場所、人種情報、及び前記予定期間のうちの１つ、又はそれらの組合せを含むものとする。
【０００８】
本発明の実施態様において、本発明方法は、さらに、前記予定期間内で前記現ユーザーの現皮膚情報及びケア情報を連続的に記録し、また前記初期皮膚情報を前記現皮膚情報と比較することによって前記皮膚状態目標が達成されたか否かを決定するステップと、前記皮膚状態目標が達成されたとき、前記予定期間内における前記現ユーザーのケア情報を前記現ユーザーに対応する皮膚達成履歴に組み入れるステップと、を有する。
【０００９】
本発明の実施態様において、前記初期皮膚情報又は前記現皮膚情報は、前記顔データから解析される複数の可変形体を含むものとする。前記可変形体は、しわ、顔縞線、紅斑、にきび、しみ、毛穴、皮膚の色、及び目の周りにおけるくまのうちの１つ、又はそれらの組合せとする。
【００１０】
本発明の実施態様において、前記初期皮膚情報又は前記現皮膚情報は、さらに、前記可変形体に基づいて計算した複数の皮膚パラメータを含むものとする。前記皮膚パラメータは、明度、肌理、堅さ、輝度、及び健全さのうちの１つ、又はそれらの組合せとする。
【００１１】
本発明の実施態様において、少なくとも前記ケア情報は、前記分類済みユーザーのうちの１人による、少なくとも１つのケア行為、及び使用した少なくとも１つのケア製品を含む。
【００１２】
本発明によるケア情報共有方法は、撮像機器を含む電子装置に適用する。この方法は、以下のステップ、すなわち、前記撮像機器から現ユーザーの顔データを取得し、また前記顔データを解析して現皮膚情報を初期皮膚情報として取得するステップと、前記電子装置によって予定期間及び皮膚状態目標を設定するステップと、前記電子装置によって前記予定期間内で前記現ユーザーの現皮膚情報及びケア情報を連続的に記録し、また前記初期皮膚情報を前記現皮膚情報と比較することによって前記皮膚状態目標が達成されたか否かを決定するステップと、前記皮膚状態目標が達成されたとき、前記予定期間内における前記現ユーザーのケア情報を前記現ユーザーに対応する皮膚達成履歴に組み入れるステップと、及び近似初期皮膚情報及び近似予定期間の状況下に前記皮膚状態目標を達成したいと願う他のユーザーと、前記現ユーザーに対応する前記皮膚達成履歴を共有するステップと、を有する。
【００１３】
本発明の電子装置は、撮像機器と、入力機器と、及びネットワーク通信機器とを備える。前記撮像機器は現ユーザーの顔データを取得する。前記プロセッサは前記撮像機器及び前記入力機器に接続する。前記プロセッサは、ネットワーク接続機器を介してネットワークに接続する。前記プロセッサは、前記顔データを解析して初期皮膚情報を取得し、またネットワークにおけるクラウドデータベースによって前記初期皮膚情報に基づいて、各グループがそれぞれ複数の分類済みユーザーを含む複数グループのうちの１つのグループに前記現ユーザーを分類する。前記入力機器は、前記現ユーザーが設定した予定期間及び皮膚状態目標を受け取るものとし、また前記プロセッサは、前記現ユーザーを含む１つのグループから前記初期皮膚情報、前記予定期間及び前記皮膚状態目標に基づいて、前記分類済みユーザーのうちの１人に対応する皮膚達成履歴を取得する。前記皮膚達成履歴は、近似初期皮膚情報及び近似予定期間の状況下にある前記分類済みユーザーのうちの１人が達成した前記皮膚状態目標に関するケア情報とする。
【発明の効果】
【００１４】
上述の説明に基づいて本発明の実施態様によれば、電子装置における撮像機器を使用して、ユーザーの皮膚検出を行ってユーザーの初期皮膚情報を取得し、またクラウドデータベースを使用して、皮膚状態を改善するための近似環境、近似予定期間及び近似皮膚状態目標を有するユーザーを同一グループに分類する。皮膚状態目標をユーザーが予定期間内に達成する場合、電子装置は、予定期間内のユーザーのケア情報（皮膚のケア行為、使用したケア製品等）を編成し、また同一グループにおける同一状態を有する他のユーザーと皮膚達成履歴を共有することができる。このようにして、顔のスキンケアに関する個人的な秘訣を共有することができる。他方、ユーザーも現ユーザーの顔スキンケアに関する参考として他のユーザーが共有するケア情報も取得することができる。
【図面の簡単な説明】
【００１５】
【図１】本発明の実施形態による電子装置の概略図である。
【図２】本発明の実施形態によるケア情報を取得する方法のフローチャートである。
【図３】本発明の実施形態によるタッチスクリーン及び顔マークアップの概略図である。
【図４】本発明の実施形態による顔データの各顔部分の概略図である。
【図５】本発明の実施形態によるケア情報共有方法のフローチャートである。
【発明を実施するための形態】
【００１６】
上述の及び他の詳細な説明、特徴並びに効果は、図面を伴った以下の実施形態によってより理解されるように記述することを意図するものと理解されたい。以下の実施形態において、方向を示すのに使用される用語「上方」、「下方」、「前方」、「後方」、「左方」、「右方」は、単に添付図面における方向に言及するものである。したがって、方向用語は、本発明を限定するものではなく、説明する上で使用される。さらに、同一又は類似の参照符号は、以下の実施形態において同一又は類似要素を示す。
【００１７】
図１は本発明の実施形態による電子装置１００の概略図である。電子装置１００は撮像機器１１０、プロセッサ１２０、ネットワーク通信機器１３０、ディスプレイ画面、及び入力機器を有する。プロセッサ１２０は、撮像機器１１０、ネットワーク通信機器１３０、ディスプレイ画面、及び入力機器に接続する。本発明のこの実施形態において、電子装置１００は、例えば、化粧台に設置した機器とすることができる。この場合、電子装置１００のディスプレイ画面は、化粧台ミラーの背後に設置し、ユーザーが見る鏡を通して、文字列又は画像、並びに他のユーザーの皮膚達成履歴を表示する。
【００１８】
他の実施形態において、電子装置１００は、さらに、消費者向け電子機器製品（例えば、スマートフォン、タブレット・コンピュータ等）とする、又は携帯用ミラーと組み合わせて決定した携帯用ミラーボックスとすることができる。この実施形態において、ディスプレイ画面及び入力機器は、タッチスクリーン１４０を用いて実現することができる。本発明のこの実施形態において、タッチスクリーン１４０の外側に配置したガラス部分は、鏡としての有効性を与えるミラーで構成することができる。
【００１９】
撮像機器１１０は、現ユーザーにおける顔データを取得するために画像を撮影するように構成したカメラとすることができる。プロセッサ１２０は、中央処理ユニット、画像プロセッサ、又は専用プロセッサとすることができる。プロセッサ１２０は、撮像機器１１０が取得した顔データを解析してから、その後のプロセスにおけるステップを実施する。プロセッサ１２０は、ネットワーク通信機器１３０を介してネットワーク１５０に接続する。このネットワーク通信機器１３０は、１つ又は複数のネットワーク通信プロトコル（例えば、無線ネットワークプロトコル、Bluetooth（登録商標）プロトコル等）を担うネットワークチップ又はネットワークカードとすることができる。この実施形態において、ネットワーク１５０はクラウドデータベース１６０を含む。このクラウドデータベース１６０は、様々なユーザーの個人情報（例えば、ユーザーの年齢、地理的な居場所等）及び顔スキンケアの達成履歴を含むことができる。さらに、このデータベース１６０は、これらユーザーを複数の分類基準に基づいて異なるグループに分類することができる。ユーザーを分類基準に基づいてどのように分類するかに関する詳細は、以下の記載で説明する。
【００２０】
本発明の実施形態によるケア情報取得方法及びケア情報共有方法におけるステップは、電子装置におけるハードウェア又はファームウェアのチップを使用することによって実施することができ、またさらに、電子装置１００におけるプロセッサ１２０が実行するソフトウェア又はＡＰＰによって実施することができる。
【００２１】
図２は本発明の実施形態によるケア情報取得方法のフローチャートである。本発明のこの実施形態において、ケア情報取得方法は、図１に示す撮像機器１１０を有する電子装置１００に適用する。図２におけるフローチャートの各ステップは、図１の電子装置１００における各要素に言及して説明する。ステップＳ２１０で、プロセッサ１２０は、現ユーザーの顔データを撮像機器１１０から取得し、またプロセッサ１２０は、現ユーザーの顔データを解析して初期皮膚情報を取得する。この実施形態において、撮像機器１１０は、より高い解像度の撮像能力を必要とする、又はより好ましい画像を得るために複数ショットを撮ることができる。この理由は、人間の顔における皮膚状態を詳細に検出するためには、顔全体及びぼやけのない画像のために、画像がより高い解像度、現行画素数（例えば、４Ｍピクセル）よりも多い有効画素数を有していなければならないからである。さもないと、ぼやけた画像では顔データのその後の認識ができなくなる。
【００２２】
ここで、ステップＳ２１０における詳細なプロセスを以下に詳述する。先ず、プロセッサ１２０は、現ユーザーの顔データを撮像機器１１０から取得する。図３は、本発明の実施形態によるタッチスクリーン１４０及び顔マークアップ３１０の概略図である。図３につき説明すると、現ユーザーの顔データを取得しようとするとき、１つの顔マークアップ３１０をディスプレイ画面（例えば、タッチスクリーン１４０）上に提示するとともに、撮像機器１１０がその時点で撮像した画像をタッチスクリーン１４０上に提示する。換言すれば、この実施形態における顔マークアップ３１０の主目的は、電子装置１００がタッチスクリーン１４０上で顔マークアップ３１０におけるユーザーの画像を取得しようとする現ユーザーの顔部分（顔輪郭、目、鼻梁、等を含む）の箇所をマーク付けすることにある。この実施形態を適用するには、他のタイプの顔マークアップ、例えば、顔輪郭を含むだけ、又は目の箇所を含むだけの顔マークアップを採用することによって実施することもできる。このようにして、ユーザーは、顔マークアップ３１０に対して顔部分を自己整列させることができ、これによってプロセッサ１２０は、顔データを取得し、その後のプロセスにおける初期皮膚情報を決定するときの精度をより精確にすることができる。現ユーザーが写真映りの姿勢（例えば、現ユーザーの顔部分が側辺に対して大きく傾く、顔部分のうちで唇の下方エリアが小さ過ぎる等）に起因して撮像機器１１０に真直ぐ対面する上で顔部分を整列させられない場合、顔部分を含むエリアを完全に撮影できないため顔認識を実施できない。
【００２３】
図１及び図２のステップＳ２１０に戻って説明すると、現ユーザーの顔データを取得した後、プロセッサ１２０は、現ユーザーの顔データを解析し、初期皮膚情報を取得する。プロセッサ１２０がどのようにして顔データを解析して皮膚情報（例えば、初期皮膚情報及び後で説明する現皮膚情報）を取得するかを以下に説明する。この実施形態において、皮膚情報は、皮膚に関連しかつ現ユーザーの顔画像における異なる領域を解析することによって得られた複数の可変形体の重度レベルであり、この可変形体は、皮膚に関連する各皮膚パラメータを計算するのに使用することができる。これら可変形体は、例えば、しわ（wrinkles）、顔縞線（facial lines）、紅斑（Erythema）、にきび（acne）、しみ（spots）、毛穴（pores）、皮膚の色、目の周りにおけるくま（dark circle）等である。電子装置１００におけるプロセッサ１２０は、特定決定基準及び重度レベルに基づいて可変形体を取得し、また可変形体に基づいて顔パラメータを計算することができる。
【００２４】
図４は、本発明の実施形態による顔データの各顔部分４１０〜４６０の概略図である。図４につき説明すると、図４は、プロセッサ１２０が取得した現ユーザーの顔データ４００であり、この顔データ４００を複数の顔部分４１０〜４６０に分割し、この分割は、顔事前認知技術を使用することにより行う。これら顔部分４１０〜４６０は、額部分４１０、鼻部分４２０、目部分４３０、右顔部分４４０、左顔部分４５０、及び顎部分４６０を含む。上述の可変形体は、それらが現れる異なる部分又は重度レベルに起因して異なる形体定義を有し、また可変形体は、この実施形態において、図４を参照して１つずつ説明する。この実施形態において、可変形体の重度レベルは、レベル１（最低重度）からレベル５（最高重度）にさらに分割され、可変形体の面積は、それら面積の顔全体に対する面積パーセンテージを計算するための分画と称する。この実施形態を適用するには、これら可変形体の定義を、本発明の実施形態によって限定される以外の要求に基づいて調整することができると理解されたい。
【００２５】
用語いわゆる「しわ」は、顔全体の顔データ４００における、より深くまたより長く直線的な折れ目を意味し、また顔部分４１０〜４６０のそれぞれに現れ得る。この実施形態において、「しわ」の深さ及び長さにおける最大値、平均値、及び最小値を、クラウドデータベース１６０経由で、又は他のソースからのユーザー顔データにより取得し、またそれら値を用いて、顔データ４００におけるしわの数、及び顔全体に対するしわの面積パーセンテージを計算することができる。さらに、この実施形態において、しわは、ユーザーの基準として顔データ４００でラベル付けのようにマークアップされる。用語いわゆる「顔縞線（facial line）」は、顔全体の顔データ４００におけるより浅くまたより短い直線的な折れ目を意味し、また顔部分４１０〜４６０のそれぞれに現れ得る。この実施形態において、「顔縞線」の深さ及び長さにおける最大値、平均値、及び最小値を、クラウドデータベース１６０経由で、又は他のソースからのユーザー顔データにより取得し、またそれら値を用いて、顔データ４００における顔縞線の数、及び顔全体に対する顔縞線の面積パーセンテージを計算することができる。さらに、この実施形態において、顔縞線は、ユーザーの基準として顔データ４００でラベル付けのようにマークアップされる。
【００２６】
用語いわゆる「紅斑（Erythema）」は、顔全体の顔データ４００におけるユーザーの皮膚の色に比べて赤みがかっており、比較的大きな面積を有し、また各顔部分４１０〜４６０に現れる斑点を意味する。顔全体に対する紅斑の面積パーセンテージは、顔画像認識技術により取得することができる。用語いわゆる「にきび（acne）」は、顔全体の顔データ４００におけるユーザーの皮膚の色に比べて赤みがかっており、比較的小さい面積を有し、また各顔部分４１０〜４６０に現れる斑点を意味する。顔データ４００におけるニキビの数は、顔画像認識技術により取得することができ、またこの数に基づく重度レベルを決定するのに使用することができる。用語いわゆる「しみ（spot）」は、顔全体の顔データ４００におけるユーザーの皮膚の色に比べてより暗めであり、また各顔部分４１０〜４６０に現れる斑点又は汚点を意味する。顔データ４００におけるしみの数及び顔全体に対する面積パーセンテージは、顔画像認識技術により取得することができ、またこの数に基づく重度レベル及びその面積パーセンテージを決定するのに使用することができる。用語いわゆる「毛穴（pore）」は、右顔部分４４０、左顔部分４５０、及び鼻部分４２０の皮膚表面における孔又は開口を意味する。顔データ４００における毛穴の数及び右顔部分４４０、左顔部分４５０、及び鼻部分４２０に対する毛穴の面積パーセンテージは、顔画像認識技術により取得することができ、またこの数に基づく重度レベル及びその面積パーセンテージを決定するのに使用することができる。
【００２７】
用語いわゆる「皮膚の色」は、顔全体の顔データ４００における皮膚自体の平均的な皮膚の色を意味する。本明細書における平均的な色は、目の周りにおけるくまの皮膚の色、並びに、にきび及びスポットが現れる箇所における皮膚の色を含まない。用語いわゆる「目の周りにおけるくま」は、目部分４３０の下側の箇所における皮膚の色を意味する。
【００２８】
可変形体は、顔データ４００における絶対値に属するが、顔のスキンケア分野で一般的に使用されている特別な皮膚パラメータとは僅かに異なる。したがって、この実施形態において、図１のプロセッサ１２０は、可変形体に基づいて皮膚パラメータを計算することができる。これら皮膚パラメータは、顔のスキンケア分野で一般的に使用されている決定基準である。皮膚パラメータは、例えば、明度（clearness）、肌理（texture）、堅さ（firmness）、輝度（brightness）、健全さ（healthiness）等である。この実施形態において、皮膚パラメータは、撮影するユーザーの２つの顔画像に基づく。例えば、２つの顔画像間の皮膚進展レベルを、例えば、初期皮膚情報を現皮膚情報と比べることによって計算することができる。このようにして、これら皮膚パラメータはパーセンテージ（％）で表現することができる。皮膚の「明度」は、顔全体のホワイトレベル、顔ポア（例えば、しみ、紅斑、にきび、毛穴）の減少した数又は減少した面積、並びに目のくまの退色レベルを計算することによって取得することができる。皮膚の「肌理」は、主に顔縞線の被域面積を計算することによって取得し、またさらに、二次的の選択肢として毛穴の数及び被域面積を計算することによって取得することができる。皮膚の「堅さ」は、毛穴の数及び被域面積を計算することによって取得することができる。皮膚の「輝度」は、主要可変形体として顔全体の輝度レベルを計算することによって取得することができる。皮膚の「健全さ」は、主に主要可変形体として紅斑の数及び紅斑の被域面積を計算することによって取得することができる。
【００２９】
図１及び図２につき説明すると、方法は、ステップＳ２１０が完了した後にステップＳ２２０に進む。ステップＳ２２０において、プロセッサ１２０は、現ユーザーをネットワーク１５０のクラウドデータベース１６０によって初期皮膚情報に基づいて複数のグループのうち１つのグループに分類する。この実施形態において、クラウドデータベース１６０における各グループは、複数の分類済みユーザーを含む。ステップＳ２２０の目的は、同一の地理的居場所、同一環境、類似人種又は類似食習慣でさえも有するユーザーを同一グループに分類し、同一グループのユーザーがスキンケア履歴及びスキンケア体験を他のユーザーと互いに共有できるようになることを目指す。
【００３０】
本発明のこの実施形態において、現ユーザーは主に初期皮膚情報に基づいて対応グループに分類され、したがって、同一又は近似皮膚情報を有するユーザーが同一グループに分類することができる。本発明の範囲に一致する幾つかの実施形態において、初期皮膚情報に基づいてユーザーを分類するのではなく、プロセッサ１２０は複数の分類基準に基づいて現ユーザーを１つのグループに分類することができる。本発明のこの実施形態における分類基準は様々な方法によって実現することができ、また各分類基準は、現ユーザーを分類することによって実現することができる。分類基準は、主にユーザーに基づく分類基準、例えば、現ユーザーの性別、年齢、地理的居場所及び人種又はそれらの組合せの情報のうち、１つ若しくは複数とすることができる。さらに、分類基準は、現ユーザーが設定する予定期間及び皮膚状態目標とすることができる。「予定期間」及び「皮膚状態目標」に関する詳細な説明は以下の実施形態において行う。
【００３１】
第１分類基準はユーザーの性別である。男性及び女性の皮膚状態は極めて異なるため、異なる性別のユーザーを先ず分類すべきである。第２分類基準はユーザーの年齢とすることができる。２０〜２５歳のユーザー及び２６〜３０歳のユーザーの皮膚状態及びスキンケア履歴はやはり極めて相違する。第３分類基準は地理的居場所間の関係とすることができる（例えば、ユーザーが居る国又は地理的地域に基づいて分類する）。地理的地域は、地球の７大陸（例えば、アジア、北アメリカ、等）に基づいて分類することができる。この分類基準は、ユーザー情報を近似する地理的環境で同一グループに分類することを目指すものである。第４分類基準は「人種」とすることができる。用語いわゆる「人種」は、ユーザーの人種タイプを取得することを目指し、これにより肉体的パターン又は遺伝的特性の点で共通する特徴の人種タイプを有するグループにユーザーを分類することができる。「人種」で分類する際、ユーザーは、外観的特徴（例えば、毛の色、皮膚の色及び顔の骨格）、遺伝子、等々のような客観的状態に基づいてユーザー自身の「人種」タイプを自選することができる。実際の実施例において、ユーザーの人種タイプは、画像認識技術で電子装置の撮像機器によって決定する、又は言語を選択することによって決定することができる。「人種」タイプは、コンゴイド人種（すなわち、黒色民族）、コーカシアン人種（すなわち、白色民族）、モンゴロイド人種（すなわち、黄色民族）、オーストラロイド人種（すなわち、褐色民族）、カポイド人種（伝統的黒色民族とは異なる独立系民族）とすることができる。ユーザーは、分類基準としてユーザー自身の「人種」を選択するのに悩むことがあり得る。そのような場合、「言語」を分類基準として「人種」の代わりに使用することができ、これはすなわち、同一人種の多くの人々は類似言語を話すからである。本発明を適用するにあたって、上述の実施形態には限定せず、分類基準を使用するか否かを適切に調整する、又はデータベースにおけるユーザーデータ量若しくはデータ内容の相違に基づいて他の分類基準を追加することができる。
【００３２】
ステップ２３０において、現ユーザーは、電子装置１００における入力機器（例えば、タッチスクリーン１４０）を用いることによって、希望改善のための予定期間及び皮膚状態目標を設定することができる。「予定期間」及び「皮膚状態目標」はユーザーが設定する、又はクラウドデータベース１６０から電子装置１００が推奨することができる。「予定期間」は、例えば、１週間、１か月、３か月、６か月、１年又は２年に設定することができ、「皮膚状態目標」は、例えば、改善すべき明度（clearness）、しわの重度レベルに対する希望減少等の希望パーセンテージに設定することができる。
【００３３】
ステップＳ２４０において、「予定期間」及び「皮膚状態目標」を受け取った後、電子装置１００は、初期皮膚情報、予定期間、及び皮膚状態目標に基づいて現ユーザーを含む１つのグループにおける１人の分類済みユーザーに対応する皮膚達成履歴を取得する。皮膚達成履歴は、近似初期皮膚情報及び近似予定期間の状況にある１人の分類済みユーザーが達成した皮膚状態目標に関連するケア情報である。換言すれば、電子装置１００は、クラウドデータベース１６０において現ユーザーを含むグループに対して、同一又は近似の初期皮膚情報、同一又は近似の予定期間、同一又は近似の皮膚状態目標を有し、また同一グループにおける他のユーザーが既に達成している皮膚達成履歴をステップＳ２４０で検索し、この皮膚達成履歴を現ユーザーの参考として供することができるようにする。ケア情報は、少なくとも分類済みユーザーにおける少なくとも１つのケア行為、及び少なくとも１つ又は複数の使用ケア製品に関する情報を含む。したがって、電子装置１００の使用により、現ユーザーは、現ユーザーにとって顔のスキンケアの参考として、他のユーザーが共有するケア情報を取得することができる。他方、電子装置１００は、ケア情報におけるケア製品、又はそのケア製品と同一若しくは類似の効果を有する製品の購買情報も提供し、電子装置１００の機能性を拡張することができる。
【００３４】
皮膚状態を異なるタイプ又はレベルに分割して（例えば、皮膚状態はレベル１〜１０に分割することができる）、各ユーザーの皮膚情報を分類又は特定するため、同一グループ又は同一レベルにあるユーザーは、近似する皮膚情報及び皮膚状態を有するとみなされことに留意されたい。したがって、ユーザーが初期皮膚情報に基づいて異なるグループに分類されるとき、同一グループ内におけるユーザーの皮膚状態は近似する。
【００３５】
現ユーザーが皮膚達成履歴を取得した後に皮膚達成履歴におけるケア情報に基づいて顔のスキンケアを実施したいと望む場合、ステップＳ２５０において、電子装置１００のプロセッサ１２０は、予定期間内における現ユーザーの現皮膚情報及び現ユーザーのケア情報（例えば、使用したケア製品、スキンケア行為等）を連続的に記録する。次にステップＳ２６０において、プロセッサ１２０は、
初期検出での初期皮膚情報を現皮膚情報と比較することによって、現ユーザーが設定した皮膚状態目標を達成したか否かを決定する。
【００３６】
現ユーザーが設定した皮膚状態目標を予定期間で達成するとき、方法はステップＳ２６０からステップＳ２７０に進み、このステップＳ２７０において、プロセッサ１２０は、予定期間内における現ユーザーのケア情報を現ユーザーに対応する皮膚達成履歴に組み入れる。後でプロセッサ１２０は、現ユーザーに対して皮膚達成履歴をクラウドデータベース１６０にアップロードしたか否かを尋問することができる。そうすることによって、皮膚達成履歴は、現ユーザーと同一グループに属する他のユーザーであって、近似初期皮膚情報及び近似予定期間の状況の下で皮膚達成履歴を取得したいと願う他のユーザーと共有することができる。他方、現ユーザーが設定した皮膚状態目標を予定期間内に達成しないとき、方法はステップＳ２６０からＳ２８０に進む。ステップＳ２８０において、プロセッサ１２０は、やはりその予定期間内における現ユーザーのケア情報をスキンケア履歴に組み込み、このスキンケア履歴を他のユーザー、サービス提供者、又は皮膚科医でさえもと共有し、これにより、このスキンケア履歴が顔の皮膚を実際に改善できるのかを確認できるようにする。さらに、皮膚科医は、スキンケア履歴に関する改善を示唆し、ケア情報及びスキンケアのフローを一層改善することができる。
【００３７】
図５は本発明の実施形態によるケア情報を共有する方法のフローチャートである。本発明のこの実施形態において、ケア情報共有方法は、図１に示す撮像機器１１０を有する電子装置１００に適用する。図５のフローチャートにおける各ステップは図１の電子装置１００における各要素に言及して説明する。ステップＳ５１０で、プロセッサ１２０は、現ユーザーの顔データを撮像機器１１０から取得し、またプロセッサ１２０は、現ユーザーの顔データを解析して現皮膚情報を初期皮膚情報として取得する。ステップＳ５２０において、プロセッサ１２０は、電子装置１００における入力機器（例えば、タッチスクリーン１４０）を用いることによって、予定期間及び皮膚状態目標を設定する。ステップＳ５３０において、現ユーザーは、電子装置１００における様々な要素を使用して、予定期間内における現ユーザーの現皮膚情報及びケア情報を連続的に記録し、また初期皮膚情報を現皮膚情報と比較することによって皮膚状態目標が達成されたか否かを決定することができる。ステップＳ５４０において、皮膚状態目標が予定期間内に達成されたことを決定するとき、プロセッサ１２０は、予定期間内における現ユーザーのケア情報を現ユーザーに対応する皮膚達成履歴に組み入れる。ステップＳ５５０において、プロセッサ１２０は、ネットワーク通信機器１３０によってネットワーク１５０におけるクラウドデータベース１６０から現ユーザーに対応する皮膚達成履歴を、近似初期皮膚情報及び近似予定期間の状況の下で同一皮膚状態目標を達成したいと願う他のユーザーと共有することができる。この実施形態において、現ユーザー及び他のユーザーは、同一グループに分類すべきである。上述のステップにおける詳細な上述した実施形態を参照することができる。
【００３８】
要約すれば、本発明の実施形態によれば、電子装置の撮像機器を使用し、ユーザーの皮膚検出を行ってユーザーの初期皮膚情報を取得できるようにし、また皮膚状態を改善するための近似環境、近似予定期間及び近似皮膚状態目標を有するユーザーを同一グループに分類する。皮膚状態目標をユーザーが予定期間内で達成する場合、電子装置は、予定期間内における現ユーザーのケア情報（例えば、皮膚のケア行為、使用したケア製品等々）を現ユーザーに対応する皮膚達成履歴に組み入れ、またこの皮膚達成履歴を同一グループにおける同一皮膚状態を有する他のユーザーと共有することができる。このようにして、スキンケアの個人的な秘訣を共有することができる。他方、ユーザーは、現ユーザーの顔のスキンケアを参考として他のユーザーが共有するケア情報を取得することもできる。
【００３９】
様々な変更及び改変を本明細書に記載した実施形態に加えることができることは当業者には明らかであろう。本明細書及び実施例は単に例示的なものであり、本発明の真の範囲は、特許請求の範囲及びその均等物によって示されることを意図する。
【産業上の利用可能性】
【００４０】
本発明は、電子装置が実行するケア情報取得方法及び／若しくはケア情報共有方法、又はケア情報取得方法及び／若しくはケア情報共有方法のための電子装置である。電子装置は、ノートブック・コンピュータ、タブレット・コンピュータ、携帯電話、及びテレビジョン等とすることができる。
【符号の説明】
【００４１】
１００    電子装置
１１０    撮像機器
１２０    プロセッサ
１３０    ネットワーク通信機器
１４０    タッチスクリーン
１５０    ネットワーク
１６０    クラウドデータベース
３１０    顔マークアップ
４００    顔データ
４１０〜４６０    顔部分
Ｓ２１０〜Ｓ２８０    ステップ
Ｓ５１０〜Ｓ５５０    ステップ
【図１】
0006715152.tif 000002
【図２】
0006715152.tif 000003
【図３】
0006715152.tif 000004
【図４】
0006715152.tif 000005
【図５】
0006715152.tif 000006